(57)【要約】【課題】端子付き基板及びバスバの両方に対応可能とすることで、コネクタの低コスト化を図ることが可能なコネクタハウジングを提供する。【解決手段】コネクタハウジング１０は、基板４１に支持された端子４３、又は、バスバ５０の本体部５１から分岐する接続部５２を収容可能な筒部２１と、筒部２１内に設けられた壁部２２と、を含む第１のハウジング２０を備え、壁部２２は、端子４３、又は、接続部５２を挿入可能な内形を有する貫通孔２２２と、バスバ５０の本体部５１を圧入可能な幅を有する溝２２１と、を備えており、貫通孔２２２は、貫通孔２２２と端子４３との間に間隙２２３が形成されるように、端子４３の外形よりも大きな内形を有する。【選択図】  図４Ａ
2020155383.tif 000002
【特許請求の範囲】
【請求項１】
基板に支持された端子、又は、バスバの本体部から分岐する接続部を収容可能な筒部と、
前記筒部内に設けられた壁部と、を含む第１のハウジングを備え、
前記壁部は、
前記端子、又は、前記接続部を挿入可能な内形を有する貫通孔と、
前記バスバの前記本体部を圧入可能な幅を有する溝と、を備えており、
前記貫通孔の内形は、前記貫通孔と前記端子との間に間隙が形成されるように、前記端子の外形よりも大きな内形であるコネクタハウジング。
【請求項２】
請求項１に記載のコネクタハウジングであって、
前記貫通孔は、前記溝の幅よりも大きな幅を有するコネクタハウジング。
【請求項３】
請求項１又は２に記載のコネクタハウジングであって、
前記貫通孔と前記溝は、連続的に形成されていると共に、実質的に同一直線上に並べられているコネクタハウジング。
【請求項４】
請求項１〜３のいずれか一項に記載のコネクタハウジングであって、
前記溝の幅は、前記基板上に設けられた圧入部材を圧入可能な幅であるコネクタハウジング。
【請求項５】
請求項１〜４のいずれか一項に記載のコネクタハウジングであって、
前記コネクタハウジングは、前記バスバの前記本体部又は前記基板を収容可能な空間を閉塞するように、前記第１のハウジングの前記筒部の一端に装着された第２のハウジングを備えたコネクタハウジング。
【請求項６】
請求項１〜５のいずれか一項に記載のコネクタハウジングと、
相手方コネクタが接続可能な端子と、
前記端子を支持する基板と、
前記溝に圧入された圧入部材と、を備え、
前記端子は、前記貫通孔に挿入されており、
前記圧入部材は、前記端子が突出する側の前記基板の主面に設けられているコネクタ。
【請求項７】
請求項１〜５のいずれか一項に記載のコネクタハウジングと、
前記コネクタハウジングに収容されたバスバと、を備え、
前記バスバは、
相手方コネクタが接続可能な接続部と、
前記接続部が分岐する本体部と、を備え、
前記接続部は、前記貫通孔に挿入され、
前記本体部は、前記溝に圧入されているコネクタ。
【発明の詳細な説明】
【技術分野】
【０００１】
本発明は、コネクタハウジング、及び、そのコネクタハウジングを備えたコネクタに関するものである。
【背景技術】
【０００２】
ワイヤハーネスのコネクタの端子が電気的に接続されるバスバと、当該バスバを収容するコネクタハウジングと、を備えたバスバ用コネクタが知られている（例えば特許文献１参照）。一方、相手方コネクタが接続される端子と、当該端子が半田付けされた基板と、この基板を収容するコネクタ収容ケースと、を備えた基板用コネクタも知られている（例えば特許文献２参照）。
【先行技術文献】
【特許文献】
【０００３】
【特許文献１】特開２０１３−１２４３７号公報
【特許文献２】特開２０００−３４８８００号公報
【発明の概要】
【発明が解決しようとする課題】
【０００４】
上記のような基板用コネクタでは、端子の半田接続部の破損を抑制するために、当該半田接続部に印加される荷重を最小限にする必要がある。一方、上記のバスバ用コネクタでは、インナハウジングの圧入溝にバスバを圧入すると共に、アウタハウジングの挿通孔にバスバの針状端子部を挿入することで、バスバがコネクタハウジングに固定されている。そのため、このバスバ用コネクタで端子付きの基板にも対応する場合、アウタハウジングの挿通孔に挿入された端子を介して、半田接続部に荷重が印加されてしまう場合がある。従って、コネクタハウジングの共通化を図ることができず、コネクタの低コスト化が妨げられてしまう、という問題がある。
【０００５】
本発明が解決しようとする課題は、端子付き基板及びバスバの両方に対応可能とすることで、コネクタの低コスト化を図ることが可能なコネクタハウジング、及び、それを備えたコネクタを提供することである。
【課題を解決するための手段】
【０００６】
［１］本発明に係るコネクタハウジングは、基板に支持された端子、又は、バスバの本体部から分岐する接続部を収容可能な筒部と、前記筒部内に設けられた壁部と、を含む第１のハウジングを備え、前記壁部は、前記端子、又は、前記接続部を挿入可能な内形を有する貫通孔と、前記バスバの前記本体部を圧入可能な幅を有する溝と、を備えており、前記貫通孔の内形は、前記貫通孔と前記端子との間に間隙が形成されるように、前記端子の外形よりも大きな内形であるコネクタハウジングである。
【０００７】
［２］上記発明において、前記貫通孔は、前記溝の幅よりも大きな幅を有してもよい。
【０００８】
［３］上記発明において、前記貫通孔と前記溝は、連続的に形成されていると共に、実質的に同一直線上に並べられていてもよい。
【０００９】
［４］上記発明において、前記溝の幅は、前記基板上に設けられた圧入部材を圧入可能な幅であってもよい。
【００１０】
［５］上記発明において、前記コネクタハウジングは、前記バスバの前記本体部又は前記基板を収容可能な空間を閉塞するように、前記第１のハウジングの前記筒部の一端に装着された第２のハウジングを備えていてもよい。
【００１１】
［６］本発明に係るコネクタは、上記のコネクタハウジングと、相手方コネクタが接続可能な端子と、前記端子を支持する基板と、前記溝に圧入された圧入部材と、を備え、前記端子は、前記貫通孔に挿入されており、前記圧入部材は、前記端子が突出する側の前記基板の主面に設けられているコネクタである。
【００１２】
［７］本発明に係るコネクタは、上記のコネクタハウジングと、前記コネクタハウジングに収容されたバスバと、を備え、前記バスバは、相手方コネクタが接続可能な接続部と、前記接続部が分岐する本体部と、を備え、前記接続部は、前記貫通孔に挿入され、前記本体部は、前記溝に圧入されているコネクタである。
【発明の効果】
【００１３】
本発明では、コネクタハウジングの壁部が、バスバの本体部を圧入可能な幅を有する溝を備えているので、バスバに対応することができる。また、当該壁部が、端子の外形よりも大きな内形を有する貫通孔を備えているので、端子付き基板にも対応することができる。従って、本発明によれば、１種類のコネクタハウジングで、バスバ、及び、端子付き基板の両方に対応することができるので、コネクタの低コスト化を図ることができる。
【図面の簡単な説明】
【００１４】
【図１】図１は、本発明の実施形態におけるコネクタと相手方コネクタを示す斜視図である。
【図２Ａ】図２Ａは、本発明の実施形態におけるコネクタハウジングの断面図であり、図１のIIA-IIA線に沿った断面図である。
【図２Ｂ】図２Ｂは、図２ＡのIIB-IIB線に沿った断面図である。
【図２Ｃ】図２Ｃは、本発明の実施形態における第１のハウジングの背面図であり、図２ＢのIIC方向矢視図である。
【図３Ａ】図３Ａは、本発明の実施形態における端子付き基板の正面図である。
【図３Ｂ】図３Ｂは、図３ＡのIIIB-IIIB線に沿った断面図である。
【図３Ｃ】図３Ｃは、本発明の実施形態における端子付き基板の側面図である。
【図３Ｄ】図３Ｄは、本発明の実施形態における端子付き基板の背面図である。
【図４Ａ】図４Ａは、本発明の実施形態における第１のコネクタを示す断面図である。
【図４Ｂ】図４Ｂは、本発明の実施形態における第１のコネクタを示す正面図であり、図１のIVB方向矢視図である。
【図５】図５は、本発明の実施形態におけるバスバの平面図である。
【図６Ａ】図６Ａは、本発明の実施形態における第２のコネクタを示す断面図である。
【図６Ｂ】図６Ｂは、図６ＡのVIB-VIB線に沿った断面図である。
【発明を実施するための形態】
【００１５】
以下、本発明の実施形態を図面に基づいて説明する。
【００１６】
図１は本実施形態におけるコネクタと相手方コネクタとを示す斜視図である。
【００１７】
本実施形態における２種類のコネクタ１Ａ，１Ｂはいずれも、例えば、自動車用のワイヤハーネスの分岐接続等に用いられるジョイントコネクタである。具体的には、第１及び第２のコネクタ１Ａ，１Ｂは、例えばＣＡＮ（Controller Area Network）等の車内ＬＡＮに用いられる通信用のコネクタである。なお、通信用であれば、車輌以外の用途にコネクタ１Ａ，１Ｂを用いてもよい。
【００１８】
第１のコネクタ１Ａは、いわゆる端子付き基板４０（図３Ａ〜図３Ｄ参照））に対応した基板用コネクタであり、図１に示すように、ハウジング１０と、当該ハウジング１０に収容されていると共に端子４３を支持する基板４１（図４Ａ参照）と、を備えている。この第１のコネクタ１Ａに相手方コネクタ８０Ａが嵌合して、第１のコネクタ１Ａの端子４３と相手方コネクタ８０Ａの端子（不図示）とが接続される。この相手方コネクタ８０Ａの端子（例えばメス端子）にはケーブル９０がそれぞれ接続されており、相手方コネクタ８０Ａのハウジング８１から複数のケーブル９０が導出している。なお、このケーブル９０は、ツイストペアケーブルであってもよい。
【００１９】
一方、本実施形態における第２のコネクタ１Ｂは、バスバ５０（図５参照）に対応したバスバ用コネクタであり、ハウジング１０と、当該ハウジング１０に収容されたバスバ５０（図６Ａ及び図６Ｂ参照）と、を備えている。この第２のコネクタ１Ｂのハウジング１０は、第１のコネクタ１Ａのハウジング１０と同様の構成を有している。この第２のコネクタ１Ｂに相手方コネクタ８０Ｂが嵌合して、第２のコネクタ１Ｂのバスバ５０の接続部５２と相手方コネクタ８０Ｂの端子（不図示）とが接続される。なお、この相手方コネクタ８０Ｂは、上述の相手方コネクタ８０Ａと同一の構成を有していてもよいし、異なる構成を有していてもよい。
【００２０】
本実施形態では、第１のコネクタ１Ａのハウジング１０と第２のコネクタ１Ｂのハウジング１０が共通化されている。すなわち、本実施形態のハウジング１０は、基板用コネクタ１Ａとバスバ用コネクタ１Ｂの両方で使用することが可能となっている。
【００２１】
図２Ａ及び図２Ｂは本実施形態におけるハウジングを示す図であり、図２Ａは図１のIIA-IIA線に沿った断面図、図２Ｂは図２ＡのIIB-IIB線に沿った断面図である。また、図２Ｃは本実施形態における第１のハウジングの背面図であり、図２ＢのIIC方向矢視図である。
【００２２】
本実施形態におけるハウジング１０は、図２Ａ及び図２Ｂに示すように、第１のハウジング２０と、第２のハウジング３０と、を備えている。本実施形態におけるハウジング１０が本発明におけるコネクタハウジングの一例に相当し、本実施形態における第１のハウジング２０が本発明における第１のハウジングの一例に相当し、本実施形態における第２のハウジング３０が本発明における第２のハウジングの一例に相当する。
【００２３】
第１のハウジング２０は、両端に開口２１４，２１５を有する筒部２１と、当該筒部２１内に設けられた壁部２２と、を備えている。この第１のハウジング２０は、例えば、樹脂材料等の電気絶縁性を有する材料から構成されており、筒部２１と壁部２２とが一体的に形成されている。本実施形態における筒部２１が本発明における筒部の一例に相当し、本実施形態における壁部２２が本発明における壁部の一例に相当する。
【００２４】
筒部２１の内孔２１１には、一方の開口２１４（図中の−Ｘ方向側の開口）を介して、端子付き基板４０又はバスバ５０を収容することが可能となっている。壁部２２は、筒部２１の一方の端部の近傍に位置するように、筒部２１内に設けられている。この壁部２２によって、筒部２１の内孔２１１が２つの収容部２１２，２１３に仕切られている。
【００２５】
端子付き基板４０を第１のハウジング２０に収容した場合には、第１の収容部２１２には基板４１が位置すると共に、当該基板４１に支持された端子４３が第２の収容部２１３に位置して、筒部２１の他方の開口２１５を介して端子４３が露出する（図４Ａ及び図４Ｂ参照）。一方、バスバ５０を第１のハウジング２０に収容した場合には、第１の収容部２１２にはバスバ５０の本体部５１が位置すると共に、当該本体部５１から分岐する接続部５２が第２の収容部２１３に位置して、筒部２１の他方の開口２１５を介して接続部５２が露出する（図６Ａ及び図６Ｂ参照）。
【００２６】
図２Ｃに示すように、壁部２２の一方の主面２２ａ（壁部２２において一方の開口２１４側（図中の−Ｘ方向側）の主面）に２本の溝２２１が形成されている。それぞれの溝２２１は、図中のＹ方向に沿って直線状に延在しており、２本の溝２２１は相互に平行に延在している。それぞれの溝２２１は、バスバ５０の本体部５１（図５参照）の形状に対応した幅Ｗ１及び長さＬ１を有しており、バスバ５０を第１のハウジング２０に収容した際に、当該バスバ５０の本体部５１がこの溝２２１に圧入されるように構成されている。
【００２７】
なお、この壁部２２に形成される溝２２１の本数は、特に上記に限定されず、筒部２１に収容されるバスバ５０の本数等に応じて任意に設定することができる。また、本実施形態の溝２２１は、有底の溝であり、壁部２２の他方の主面２２ｂには貫通していないが、特にこれに限定されず、溝２２１が壁部２２を貫通していてもよい。
【００２８】
また、壁部２２には、複数の貫通孔２２２が形成されている。それぞれの貫通孔２２２は、端子付き基板４０の端子４３の外形（図４ＢのＷ３及びさＬ３）よりも十分に大きな内形（図４ＢのＷ２及びＬ２）を有している（Ｗ２＞Ｗ３、Ｌ２＞Ｌ３）。この貫通孔２２２は、基板４１に支持された端子４３のピッチに対応したピッチで、上述の溝２２１上に実質的に等間隔に配置されている。すなわち、溝２２１と貫通孔２２２は、一体的に形成されていると共に、図中のＹ方向に沿って実質的に同一直線上に並べられている。なお、貫通孔２２の数や配置は、特に上記に限定されず、端子付き基板４０の端子４３の数や配置に応じて設定される。
【００２９】
第１のハウジング２０に端子付き基板４０又はバスバ５０を収容した場合に、端子４３又は接続部５２がこの貫通孔２２２に挿入される。ここで、上述のように、基板用コネクタでは、端子の半田接続部の破損を抑制するために、当該半田接続部に印加される荷重を最小限にする必要がある。これに対し、本実施形態では、貫通孔２２２の幅Ｗ２が、溝１２３の幅Ｗ１よりも広くなっているので（Ｗ２＞Ｗ１）、端子付き基板４０が第１のハウジング２０に収容された際に、壁部２２から端子４３を介して半田接続部４３（図３Ｂ〜図３Ｄ参照）に荷重が印加されるのを十分に抑制することができる。
【００３０】
第２のハウジング３０は、第１のハウジング２０と同様に、例えば、樹脂材料等の電気絶縁性を有する材料から構成されている。この第２のハウジング３０は、第１のハウジング２０の筒部２１の一方の開口２１４を閉塞するように、当該筒部２１の一方の端部に装着される。これにより、第１のハウジング２０の第１の収容部２１２が閉塞され、第１のハウジング２０内に収容された端子付き基板４０の基板４１又はバスバ５０の本体部５１が第２のハウジング３０によって覆われる。この際、第２のハウジング３０は、特に図示しないフック部を第１のハウジング２０の凹部に係止させることで、第１のハウジング２０に固定される。
【００３１】
次に、上述したハウジング１０を用いた基板用の第１のコネクタ１Ａについて、図３Ａ〜図４Ｂを参照しながら説明する。
【００３２】
図３Ａ〜図３Ｄは本実施形態における端子付き基板を示す図であり、図３Ａはその端子付き基板の正面図、図３Ｂは図３ＡのIIIB-IIIB線に沿った断面図、図３Ｃはその端子付き基板の側面図、図３Ｄはその端子付き基板の背面図である。また、図４Ａは本実施形態における第１のコネクタを示す断面図、図４Ｂは本実施形態における第１のコネクタを示す正面図である。
【００３３】
端子付き基板４０は、図３Ａ〜図３Ｄに示すように、基板４１と、複数（本例では８本）の端子４３と、複数（本例では４つ）の圧入部材４４と、を備えている。本実施形態における基板４１が本発明における基板の一例に相当し、本実施形態における端子４３が本発明における端子の一例に相当し、本実施形態における圧入部材４３が本発明における圧入部材の一例に相当する。
【００３４】
基板４１は、配線パターンが形成されたリジッドなプリント配線板である。この基板４１には、複数（本例では８つ）の貫通孔４１１が形成されており、当該貫通孔４１１は、基板４１上に２行４列で規則的に配置されている。具体的には、本実施形態では、８つの貫通孔４１１は、Ｙ方向に沿ってピッチＰ１で配列されていると共に、Ｚ方向に沿ってピッチＰ２で配列されている。この基板４１に、ローパスフィルタ等の回路が実装されていてもよい。
【００３５】
端子４３は、相手方コネクタ８０Ａの端子と嵌合する端子であり、例えば、金属等の導電性を有する材料から構成されている。特に限定されないが、本実施形態では、この端子４３は、オス端子である。それぞれの端子４３は、基板４１の貫通孔４１１に挿入されていると共に、基板４１の第１の主面４１ａ（図中の＋Ｘ方向側の主面４１ａ）から図中の＋Ｘ方向に向かって櫛歯状に突出している。一方、基板４１の第２の主面４１ｂ（図中の−Ｘ方向側の主面４１ｂ）には半田接続部４１２が設けられており、この半田接続部４１２によって、端子４３の端部が基板４１に固定されている。
【００３６】
それぞれの圧入部材４４は、例えば、樹脂材料或いは金属材料から構成されたブロック状の部材である。この圧入部材４４は、基板４１において端子４３が突出する側（図中の＋Ｘ方向側）の第１の主面４１ａに設けられている。また、この圧入部材４４は、溝２２１の幅Ｗ１に対応した幅Ｗ４を有しており、溝２２１に圧入することが可能となっている。この圧入部材４４が溝２２１に圧入されることで、端子付き基板４０が第１のハウジング２０に固定される。
【００３７】
ここで、上述のように、基板４１上には、図中のＹ方向に沿って直線状に配置された４つの端子４３からそれぞれ構成された２つの端子列４２Ａ，４２Ｂが設けられている。２つの圧入部材４４は、一方の端子列４２Ａと同一直線状に並ぶように当該端子列４２Ａの外側にそれぞれ配置されており、壁部２２の一方の溝２２１の両端に対応するように基板４１上に設けられている。これに対し、他の２つの圧入部材４４は、他方の端子列４２Ｂと同一直線状に並ぶように当該端子列４２Ｂの外側にそれぞれ配置されており、壁部２２の他方の溝２２１の両端に対応するように基板４１上に設けられている。このように、圧入部材４４を端子列４２Ａ（４２Ｂ）と同一直線状に並べることで、バスバ５０を固定するための溝２２１を端子付き基板４０の固定に兼用することができる。
【００３８】
なお、端子付き基板４０が有する端子４３の数や配置は特に上記に限定されない。また、基板４１の貫通孔４１１の数や配置も特に上記に限定されず、端子４３の数や配置に応じて設定される。また、圧入部材４４が金属材料で構成されている場合には、接着剤に代えて、半田付けによって当該圧入部材４４を基板４１に固定してもよい。
【００３９】
そして、本実施形態における基板用の第１のコネクタ１Ａは、以下のように組み立てられる。すなわち、図４Ａに示すように、予め準備された端子付き基板４０を第１のハウジング２０に挿入する。具体的には、先ず、複数の端子４３を、一方の開口２１４を介して、図中のＸ方向に沿って、第１のハウジング２０の筒部２１に挿入した後、当該第１のハウジング２０の壁部２２の貫通孔２２２にそれぞれ挿入する。そして、端子４３がその根元部分まで貫通孔２２２に挿入されると、基板４１も、一方の開口２１４を介して、第１のハウジング２０の筒部２１に挿入される。そして、基板４１を壁部２２向かってさらに押し込むと、圧入部材４４が溝２２１に圧入されて、端子付き基板４０が第１のハウジング２０に固定される。
【００４０】
次いで、第２のハウジング３０を第１のハウジング２０に取り付ける。これにより、第１のハウジング２０の一方の開口２１４が閉塞されると共に、基板４１が第１及び第２のハウジング２０，３０で覆われる。
【００４１】
この状態において、本実施形態では、貫通孔２２２が、端子４３の外形（図４ＢのＷ３及びＬ３）よりも十分に大きな内形（図４ＢのＷ２及びＬ２）を有しているので（Ｗ２＞Ｗ３、Ｌ２＞Ｌ３）、貫通孔２２２と端子４３との間に間隙２２３が形成されている。このため、第１のハウジング２０から端子４３を介して半田接続部４１２に荷重が印加されてしまうのを抑制することができ、結果的に半田接続部２３の破損が抑制されている。
【００４２】
また、本実施形態では、端子付き基板４０が、第１のハウジング２０の壁部２１の溝２２１に圧入可能な圧入部材４４を有しているので、バスバ５０を固定するための溝２２１を端子付き基板４０の固定にも利用することができる。
【００４３】
なお、端子付き基板４０をハウジング１０に固定する方法は、上記に特に限定されない。例えば、圧入部材４４に代えて、第２のハウジング３０に突起を設けて、第１のハウジング２０の壁部２２と第２のハウジング３０の突起とで基板４１を挟持することで、端子付き基板４０をハウジング１０に固定してもよい。或いは、圧入部材４４に代えて、基板４１を第１及び第２のハウジング２０，３０の少なくとも一方に接着することで、端子付き基板４０をハウジング１０に固定してもよい。
【００４４】
また、端子付き基板４０をハウジング１０に固定する際に、第１及び第２のハウジング２０，３０の少なくとも一方に位置決めピンを形成すると共に、当該ピンが挿入される貫通孔を基板４１に形成しておくことで、ハウジング２０に対して端子付き基板４０を位置決めしてもよい。
【００４５】
次に、上述したハウジング１０を用いたバスバ用の第２のコネクタ１Ｂについて、図５〜図６Ｂを参照しながら説明する。
【００４６】
図５は本実施形態におけるバスバの平面図、図６Ａは本実施形態における第２のコネクタを示す断面図、図６Ｂは図６ＡのVIB-VIB線に沿った断面図である。
【００４７】
バスバ５０は、図５に示すように、本体部５１と、複数（本例では４本）の接続部５２と、を備えている。このバスバ５０は、例えば、金属等の導電性を有する材料から構成されている。このバスバ５０は、例えば、金属板を打ち抜き加工することで形成されており、本体部５１と複数の接続部５２とは一体的に形成されている。本実施形態におけるバスバ５０が本発明におけるバスバの一例に相当し、本実施形態における本体部５１が本発明における本体部の一例に相当し、本実施形態における接続部５２が本発明における接続部の一例に相当する。
【００４８】
本体部５１は、図中のＹ方向に沿って直線状に延在している。複数の接続部５２は、本体部５１からそれぞれ分岐しており、本体部５１の延在方向に対して実質的に直交する方向（図中のＸ方向）に向かって櫛歯状に突出している。特に限定されないが、それぞれの接続部５２は、上述の端子付き基板４０の端子４３と同程度の外径を有している。複数の接続部５２は、相互に平行に延在していると共に、実質的に等間隔に配置されている。本実施形態では、この複数の接続部５２は、上述の端子付き基板４０の端子４３のＹ方向のピッチＰ１と実質的に同一のピッチＰ３で配列されている。なお、バスバ用コネクタ１Ｂが有する接続部５２の数や配置は、特に上記に限定されない。
【００４９】
そして、本実施形態におけるバスバ用の第２のコネクタ１Ｂは、以下のように組み立てられる。すなわち、図６Ａ及び図６Ｂに示すように、予め準備されたバスバ５０を、第１のハウジング２０に挿入する。具体的には、先ず、バスバ５０の複数の接続部５２を、一方の開口２１４を介して、図中のＸ方向に沿って、第１のハウジング２０の筒部２１に挿入した後、当該接続部５２を第１のハウジング２０の壁部２２の貫通孔２２２にそれぞれ挿入する。そして、接続部５２がその根元部分まで貫通孔２２２に挿入されると、バスバ５０の本体部５１も、一方の開口２１４を介して、第１のハウジング２０の筒部２１に挿入される。そして、本体部５１を壁部２２に向かってさらに押し込むと、当該本体部５１が溝２２１に圧入されて、バスバ５０が第１のハウジング２０に固定される。
【００５０】
次いで、第２のハウジング３０を第１のハウジング２０に取り付ける。これにより、第１のハウジング２０の一方の開口２１４が閉塞されると共に、バスバ５０の本体部５１が第１及び第２のハウジング２０，３０で覆われる。
【００５１】
この第２のコネクタ１Ｂでは、壁部２２に２本の溝２２１が形成されており、第１のハウジング２０内に２枚のバスバ５０が挿入されるため、第２のコネクタ１Ｂは２枚のバスバ５０を備えている。本実施形態では、この２枚のバスバ５０は、上述の端子付き基板４０の端子４３のＺ方向のピッチＰ２と実質的に同一のピッチＰ４で配列されている。なお、バスバ用コネクタ１Ｂが有するバスバ５０の数は、特に上記に限定されない。
【００５２】
以上のように、本実施形態では、第１のハウジング２０の壁部２２が、バスバ５０の本体部５１を圧入可能な幅を有する溝２２１を備えているので、バスバ５０に対応することができる。また、当該壁部２２が、端子４３の外形よりも大きな内形を有する貫通孔２２２を備えているので、端子付き基板４０にも対応することができる。このため、１種類のハウジング１０で、端子付き基板４０、及び、バスバ５０の両方に対応することができるので、コネクタ１Ａ，１Ｂの低コスト化を図ることができる。
【００５３】
特に、通信用のコネクタでは、ケーブル同士を単に電気的に接続するだけの場合と、ローパスフィルタ等の回路を介在させてケーブル同士を接続する場合とがある。前者の場合にはバスバ用コネクタが用いられ、後者の場合には基板用コネクタが用いられる。本実施形態では、１種類のハウジング１０で端子付き基板４０及びバスバ５０の両方に対応することができるので、こうした通信用の用途において特に有効である。
【００５４】
なお、以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【符号の説明】
【００５５】
１Ａ…第１のコネクタ
１Ｂ…第２のコネクタ
１０…ハウジング
２０…第１のハウジング
２１…筒部
２１１…内孔
２１２，２１３…収容部
２１４，２１５…開口
２２…壁部
２２ａ，２２ｂ…主面
２２１…溝
２２２…貫通孔
２２３…間隙
３０…第２のハウジング
４０…端子付き基板
４１…基板
４１ａ，４１ｂ…主面
４１１…貫通孔
４１２…半田接続部
４２Ａ，４２Ｂ…端子列
４３…端子
４４…圧入部材
５０…バスバ
５１…本体部
５２…接続部
８０Ａ，８０Ｂ…相手方コネクタ
８１…ハウジング
９０…ケーブル
【図１】
2020155383.tif 000003
【図２Ａ】
2020155383.tif 000004
【図２Ｂ】
2020155383.tif 000005
【図２Ｃ】
2020155383.tif 000006
【図３Ａ】
2020155383.tif 000007
【図３Ｂ】
2020155383.tif 000008
【図３Ｃ】
2020155383.tif 000009
【図３Ｄ】
2020155383.tif 000010
【図４Ａ】
2020155383.tif 000011
【図４Ｂ】
2020155383.tif 000012
【図５】
2020155383.tif 000013
【図６Ａ】
2020155383.tif 000014
【図６Ｂ】
2020155383.tif 000015